(57)【要約】【課題】ディスプレイユニットだけでなく端末機本体も横向き回転可能にすることにより、ゲームなどのキー操作が便利になり、多様な機能の追加実行が可能である携帯端末機を提供する。【解決手段】携帯端末機は、キーパッドを装備した端末機本体１０と、情報を表示するＬＣＤを装備したディスプレイユニット２０と、端末機本体１０とディスプレイユニット２０との間を連結し、ディスプレイユニット２０を横向きに回転可能に軸支すると共に端末機本体１０を横向きに回転可能に軸支するヒンジユニット３０と、をもつ。【選択図】図５
2006191632.tif 000002
【特許請求の範囲】
【請求項１】
キーパッドを装備した端末機本体と、
情報を表示するＬＣＤを装備したディスプレイユニットと、
前記端末機本体と前記ディスプレイユニットとを連結し、前記ディスプレイユニットを横向きへ回転可能に軸支すると共に前記端末機本体を横向きに回転可能に軸支するヒンジユニットと、
を含んで構成されることを特徴とする携帯端末機。
【請求項２】
前記ヒンジユニットは、
前記ディスプレイユニットを回転可能に軸支するディスプレイユニットヒンジ部と、
前記端末機本体を回転可能に軸支する端末機本体ヒンジ部と、
前記ディスプレイユニットヒンジ部と前記端末機本体ヒンジ部とを回動可能にヒンジ連結するヒンジ連結部と、
を備えることを特徴とする請求項１に記載の携帯端末機。
【請求項３】
前記ディスプレイユニットヒンジ部は、
前記ディスプレイユニットのカバーに形成されたヒンジホールに外側から挿入される第１回転部材と、
前記ヒンジホールに内側から挿入されて前記第１回転部材と締結される第２回転部材と、
を備えることを特徴とする請求項２に記載の携帯端末機。
【請求項４】
前記第１回転部材及び前記第２回転部材は、それぞれ環状に形成され、これら第１回転部材と第２回転部材とが締結されると、その外周端面に、前記ヒンジホールの縁部が挿入されるグルーブが形成されることを特徴とする請求項３に記載の携帯端末機。
【請求項５】
前記第１回転部材の下面に締結突起が形成され、前記第２回転部材の上面に前記締結突起が嵌入される締結溝が形成されることを特徴とする請求項３に記載の携帯端末機。
【請求項６】
前記第１回転部材に、前記ヒンジ連結部につながる連結部材が形成されることを特徴とする請求項３に記載の携帯端末機。
【請求項７】
前記連結部材は、前記第１回転部材から平行に延設された第１ロード及び第２ロードから構成されることを特徴とする請求項６に記載の携帯端末機。
【請求項８】
前記第１回転部材の内側にサブＬＣＤが装着されることを特徴とする請求項３に記載の携帯端末機。
【請求項９】
前記端末機本体ヒンジ部は、
前記端末機本体のカバーに形成されたヒンジホールに外側から挿入される第１回転部材と、
前記ヒンジホールに内側から挿入されて前記第１回転部材と締結される第２回転部材と、
を備えることを特徴とする請求項２に記載の携帯端末機。
【請求項１０】
前記第１回転部材は、円盤状に形成され、その下面に前記ヒンジホールに挿入される環状のヒンジ突条が形成され、該ヒンジ突条に締結突起が等間隔で形成されることを特徴とする請求項９に記載の携帯端末機。
【請求項１１】
前記第２回転部材は、環状に形成され、その上面に前記ヒンジホールに挿入される環状のヒンジ突条が形成され、該ヒンジ突条に前記第１回転部材の締結突起が締結される締結溝が形成されることを特徴とする請求項１０に記載の携帯端末機。
【請求項１２】
前記ヒンジ連結部は、
前記ディスプレイユニットヒンジ部の第１ロードにつながった第１ヒンジ部材と、
前記ディスプレイユニットヒンジ部の第２ロードにつながった第２ヒンジ部材と、
前記第１ヒンジ部材と前記第２ヒンジ部材との間に回動可能に配置され、前記端末機本体ヒンジ部の連結部材につながった第３ヒンジ部材と、
を備えることを特徴とする請求項２に記載の携帯端末機。
【請求項１３】
前記第１ヒンジ部材及び前記第２ヒンジ部材の対向する面にそれぞれヒンジ溝が形成され且つ前記第３ヒンジ部材の両端面にそれぞれヒンジピンが形成され、前記２つのヒンジ溝に前記ヒンジピンがそれぞれ回動可能に挿入されることを特徴とする請求項１２に記載の携帯端末機。
【請求項１４】
前記第３ヒンジ部材に、撮像及びテレビ電話用のカメラが回転自在に装着されることを特徴とする請求項１２に記載の携帯端末機。
【発明の詳細な説明】
【技術分野】
【０００１】
本発明は、携帯端末機（移動体通信端末機）に関し、より詳しくは、ディスプレイユニット及び端末機本体を共に回転可能にする携帯端末機のヒンジユニットに関する。
【背景技術】
【０００２】
一般に、携帯端末機は、開閉方式によって様々なタイプに分けられるが、本体にカバーが開閉可能に装着されるフリップ型、ＬＣＤを装備した蓋部が本体に開閉可能に装着される折り畳み型、ＬＣＤを装備したディスプレイユニットがスライド方式で開閉されるスライド型などがある。さらに、最近は、端末機の使用用途が多様化するに従い、動画像鑑賞又はテレビ電話などのために蓋部（ディスプレイユニット）を回転させてワイド画面を実現する蓋部回転型端末機が開発、市販されている。
【０００３】
図１０は、従来技術による蓋部回転型携帯端末機の斜視図である。
【０００４】
従来技術による携帯端末機は、図１０に示すように、各種回路部品を実装したＰＣＢを内蔵し、前面にキーパッド１０２を装備した端末機本体１１０と、該端末機本体１１０の上端に開閉可能に連結され、ユーザの所望の情報を表示するディスプレイウィンドウ１２２を装備したディスプレイユニット１２０と、端末機本体１１０とディスプレイユニット１２０との間に設置されてディスプレイユニット１２０を端末機本体１１０に対して相対的に回動可能とすると共に、ワイド画面を実現すべく、ディスプレイユニットを横向きへ９０゜回転可能とするヒンジユニット１３０とから構成される。
【０００５】
ヒンジユニット１３０は、ディスプレイユニット１２０と端末機本体１１０との間を回動可能に連結する第１ヒンジ部１３２と、該第１ヒンジ部１３２にヒンジ連結され、ディスプレイユニット１２０を横向きへ９０゜回転可能に軸支してディスプレイユニット１２０のワイド画面を実現させる第２ヒンジ部１３４とから構成される。
【０００６】
このように構成される従来技術による蓋部回転型端末機は、第１ヒンジ部１３２によりディスプレイユニット１２０が端末機本体１１０に対して開閉可能になり、また、第２ヒンジ部１３４によりディスプレイユニット１２０を９０゜回転させて横向きに配置し、動画像鑑賞又はテレビ電話を行うことが可能になる。
【発明の開示】
【発明が解決しようとする課題】
【０００７】
このように構成される従来技術による蓋部回転型携帯端末機は、ディスプレイユニット１２０のみが横向きに９０゜回転するため、動画像鑑賞などのためのワイド画面は実現できるが、端末機本体１１０は縦向き配置から動かすことができないので、多様な機能を実現できないという不具合があった。たとえば、ゲームなどの多くのキー操作を必要とする機能を実行するときに、本体縦向きではキー操作が不便である。
【０００８】
本発明は、このような問題を解決するために提案されたもので、本発明の目的は、ディスプレイユニットだけでなく端末機本体も横向きへ回転可能にすることにより、ゲームなどをするときにキー操作がより便利になり、多様な機能の追加実行が可能である携帯端末機を提供することにある。
【課題を解決するための手段】
【０００９】
このような目的を達成するために、本発明に係る携帯端末機は、キーパッドを装備した端末機本体と、情報を表示するＬＣＤを装備したディスプレイユニットと、端末機本体とディスプレイユニットとを連結し、ディスプレイユニットを横向きへ回転可能に軸支すると共に端末機本体を横向きへ回転可能に軸支するヒンジユニットと、を含んで構成されることを特徴とする。
【００１０】
そのヒンジユニットは、ディスプレイユニットを回転可能に軸支するディスプレイユニットヒンジ部と、端末機本体を回転可能に軸支する端末機本体ヒンジ部と、これら両ヒンジ部を回動可能にヒンジ連結するヒンジ連結部と、を含む構成とすることを特徴とする。
【発明の効果】
【００１１】
本発明に係る携帯端末機は、ヒンジユニットを、ディスプレイユニットを回転可能に軸支するディスプレイユニットヒンジ部と、端末機本体を回転可能に軸支する端末機本体ヒンジ部と、これら端末機本体ヒンジ部とディスプレイユニットヒンジ部とを回動可能にヒンジ連結するヒンジ連結部と、を含んだ構成とすることにより、ディスプレイユニットだけでなく端末機本体も横向きに回転させることができるようになり、ゲームなどの多くのキー操作を必要とする機能の実行に便利で、端末機に多様な機能を追加設置できるという効果がある。
【発明を実施するための最良の形態】
【００１２】
以下、添付図面に基づいて本発明の実施形態を説明する。
【００１３】
図１及び図２は、本発明に係る携帯端末機の閉状態を示す斜視図であり、図３〜図５は、本発明に携帯端末機の開状態を示す斜視図である。
【００１４】
本発明に係る携帯端末機は、各種回路部品を実装したメインＰＣＢが内蔵され、前面にキーパッド１２が装着される端末機本体１０と、該端末機本体１０に回動可能に連結され、ユーザの所望の情報を表示するＬＣＤ１４を有するディスプレイユニット２０と、端末機本体１０とディスプレイユニット２０とを連結し、ディスプレイユニット２０を横向きへ回転可能に軸支すると共に端末機本体１０を横向きへ回転可能に軸支するヒンジユニット３０と、を備えている。
【００１５】
ディスプレイユニット２０は、閉じたときの内側面に画像及び各種情報を表示するメインＬＣＤ１４が縦長に装備され、閉じたときの外側面にサブＬＣＤ１６が装着される。
【００１６】
図６は、本発明に係るヒンジユニットの斜視図、図７は、本発明に係るヒンジユニットのディスプレイユニットヒンジ部の断面図、図８は、本発明に係るヒンジユニットの端末機本体ヒンジ部の断面図、そして図９は、本発明に係るヒンジユニットのヒンジ連結部の断面図である。
【００１７】
ヒンジユニット３０は、ディスプレイユニット２０を回転可能に軸支するディスプレイユニットヒンジ部３２と、端末機本体１０を回転可能に軸支する端末機本体ヒンジ部３４と、ディスプレイユニットヒンジ部３２と端末機本体ヒンジ部３４とを回動可能にヒンジ連結するヒンジ連結部３６と、を備えている。
【００１８】
ディスプレイユニットヒンジ部３２は、図７に示すように、ディスプレイユニット２０の外側カバー３８の上面（外面）に配置され、該外側カバー３８に形成されたヒンジホール４０に挿入される第１回転部材４２と、ディスプレイユニット２０の外側カバー３８の下面（内面）に配置され、ヒンジホール４０に挿入されて第１回転部材４２と締結される第２回転部材４４とを有する。第１回転部材４２及び第２回転部材４４は、それぞれ環状に形成され、第１回転部材４２と第２回転部材４４が締結されると、その外周端面に周縁方向で「コ」字形のグルーブ４６が凹設され、これにヒンジホール４０の縁部が回転可能に挿入され軸支される。このグルーブ４６は、第１回転部材４２又は第２回転部材４４のいずれか一方に形成することも、あるいは、第１回転部材４２及び第２回転部材４４の両方に半々で形成することもできる。
【００１９】
第１回転部材４２の内周面（内側）にはサブＬＣＤ１６が装着される。また、第１回転部材４２の下面には等間隔で締結突起４８が形成され、第２回転部材４４の上面には締結溝５０が形成され、締結突起４８が締結溝５０に嵌合することで第１回転部材４２と第２回転部材４４が締結されて、ディスプレイユニットヒンジ部３２がディスプレイユニット２０を回転可能に軸支する。
【００２０】
第１回転部材４２の一方の側にはヒンジ連結部３６につながる連結部材５２が一体に形成され、この連結部材５２は、第１回転部材４２の一側部から延設される第１ロード５２ａと、該第１ロード５２ａと平行に配置され、第１回転部材４２の他側部から延設される第２ロード５２ｂとから構成される。
【００２１】
端末機本体ヒンジ部３４は、図８に示すように、端末機本体１０の外側カバー５４の上面（外面）に配置され、外側カバー５４に形成されたヒンジホール６０に挿入される第１回転部材５６と、端末機本体１０の外側カバー５４の下面（内面）に配置され、ヒンジホール６０に挿入されて第１回転部材５６と締結される第２回転部材５８とを有する。その第１回転部材５６は、円盤状に形成され、その下面にはヒンジホール６０に挿入される環状のヒンジ突条６２が形成され、該ヒンジ突条６２の表面に、第２回転部材５８と締結される締結突起６４が等間隔で形成される。第２回転部材５８は、環状に形成され、その上面にはヒンジホール６０に挿入されて第１回転部材５６のヒンジ突条６２に接触する環状のヒンジ突条６６が形成され、該ヒンジ突条６６に、第１回転部材５６の締結突起６４が嵌入される締結溝６８が形成される。ここで、端末機本体ヒンジ部３４の直径は、ディスプレイユニットヒンジ部３２の直径より小さく形成されることが好ましい。第１回転部材５６の一方の側にはヒンジ連結部３６につながる一対の連結部材７０が一体に形成される。
【００２２】
このように、端末機本体ヒンジ部３４は、端末機本体１０の外側カバー５４に形成されたヒンジホール６０に第１回転部材５６及び第２回転部材５８のヒンジ突条６２，６６がそれぞれ挿入され、端末機本体１０を回転可能に軸支する。
【００２３】
ヒンジ連結部３６は、図９に示すように、ディスプレイユニットヒンジ部３２に形成された第１ロード５２ａにつながった第１ヒンジ部材７２と、ディスプレイユニットヒンジ部３２の第２ロード５２ｂにつながった第２ヒンジ部材７４と、第１ヒンジ部材７２と第２ヒンジ部材７４との間に回動可能に配置され、端末機本体ヒンジ部３４の連結部材７０とつながった第３ヒンジ部材７６とを有する。第１ヒンジ部材７２及び第２ヒンジ部材７４の対向面にはそれぞれヒンジ溝８０が形成され、第３ヒンジ部材７６の両端面にはそれぞれヒンジ突起８２が形成されて、２つのヒンジ溝８０にそれぞれ回動可能に挿入される。
【００２４】
第３ヒンジ部材７６には、撮像及びテレビ電話のためのカメラ７８が回転自在に装着される。
【００２５】
以下、以上の構成をもつ本発明に係る携帯端末機の動きを説明する。
【００２６】
まず、携帯端末機が一般の通話モードである場合は、図３に示すように、ヒンジ連結部３６により、端末機本体１０に対しディスプレイユニット２０を回動させて開き、端末機本体１０とディスプレイユニット２０が縦方向に配置された状態で通話を行う。この場合、端末機本体１０につながった第３ヒンジ部材７６とディスプレイユニット２０につながった第１ヒンジ部材７２及び第２ヒンジ部材７４とが回動してディスプレイユニット２０の開閉が行われる。
【００２７】
携帯端末機を利用してテレビ電話又は動画像鑑賞を行う場合は、図４に示すように、開いたディスプレイユニット２０を９０゜回転させて横向きとし、動画像鑑賞のためのワイド画面を実現し、端末機本体１０は縦に配置する。すなわち、ディスプレイユニット２０がディスプレイユニットヒンジ部３２により回転可能に軸支されているので、ディスプレイユニット２０を９０゜回転させることができる。
【００２８】
携帯端末機を利用してゲームなどの多くのキー操作を必要とする機能を実行する場合は、図５に示すように、ディスプレイユニット２０及び端末機本体１０を両方とも９０゜回転させて、横向きにして使用する。ディスプレイユニット２０は、ディスプレイユニットヒンジ部３２により回転可能に軸支されて回転し、端末機本体１０は、端末機本体ヒンジ部３４により回転可能に軸支されて９０°回転する。
【図面の簡単な説明】
【００２９】
【図１】本発明に係る携帯端末機の閉状態をサブ画面側から見て示す斜視図である。
【図２】本発明に係る携帯端末機の閉状態を裏面側から見て示す斜視図である。
【図３】本発明に係る携帯端末機の通話等用開状態を示す斜視図である。
【図４】本発明に係る携帯端末機のワイド画面視聴等用開状態を示す斜視図である。
【図５】本発明に係る携帯端末機のゲーム操作等用開状態を示す斜視図である。
【図６】本発明に係る携帯端末機のヒンジユニットの斜視図である。
【図７】図４のVIII−VIII線断面図である。
【図８】図５のIX−IX線断面図である
【図９】図５のＸ−Ｘ線断面図である。
【図１０】従来技術による携帯端末機の斜視図である。
【符号の説明】
【００３０】
１０：端末機本体
１２：キーパッド
１４：メインＬＣＤ
１６：サブＬＣＤ
２０：ディスプレイユニット
３０：ヒンジユニット
３２：ディスプレイユニットヒンジ部
３４：端末機本体ヒンジ部
３６：ヒンジ連結部
３８：外側カバー
４０：ヒンジホール
４２：第１回転部材
４４：第２回転部材
４６：グルーブ
４８：締結突起
５０：締結溝
５２：連結部材
７２：第１ヒンジ部材
７４：第２ヒンジ部材
７６：第３ヒンジ部材
【図１】
2006191632.tif 000003
【図２】
2006191632.tif 000004
【図３】
2006191632.tif 000005
【図４】
2006191632.tif 000006
【図５】
2006191632.tif 000007
【図６】
2006191632.tif 000008
【図７】
2006191632.tif 000009
【図８】
2006191632.tif 000010
【図９】
2006191632.tif 000011
【図１０】
2006191632.tif 000012